(57)【要約】【課題】発光素子からの出射光を効率的に内視鏡の先端部へと導いて充分な光量を確保することのできる内視鏡用照明装置とこれを適用する内視鏡を提供する。【解決手段】発光素子を内部に有する発光素子部３１ａと、発光素子からの出射光を伝送するライトガイド部３１ｂとからなる内視鏡用照明装置２であって、発光素子部はライトガイド部の一端部に発光素子を封止する発光素子封止部Ａを有し、この発光素子封止部とライトガイド部とを一体に成形する。【選択図】図２
2005312829.tif 000002
【特許請求の範囲】
【請求項１】
発光素子を内部に有する発光素子部と、前記発光素子からの出射光を伝送するライトガイド部とからなる内視鏡用照明装置であって、
前記発光素子部は、前記ライトガイド部の一端部に発光素子を封止する発光素子封止部を有し、この発光素子封止部と前記ライトガイド部とが一体に成形されてなることを特徴とする内視鏡用照明装置。
【請求項２】
前記発光素子封止部は、前記ライトガイド部の一部を構成するコア材と同一の材料を用いて形成されるコア部と、前記ライトガイド部の一部を構成するクラッド材と同一の材料を用いて形成されるクラッド部とによって二重構造となるように成形されていることを特徴とする請求項１に記載の内視鏡用照明装置。
【請求項３】
前記発光素子は、発光ダイオードであることを特徴とする請求項１に記載の内視鏡用照明装置。
【請求項４】
請求項１〜請求項３に記載のいずれかの内視鏡用照明装置を適用したことを特徴とする内視鏡。
【発明の詳細な説明】
【技術分野】
【０００１】
この発明は、内視鏡用照明装置及びこれを適用する内視鏡、詳しくは体腔内臓器等を観察したり、必要に応じて処置具等を用いて各種の治療処置をおこなうことができるように構成した内視鏡装置における内視鏡用照明装置及びこれを適用する内視鏡に関するものである。
【背景技術】
【０００２】
従来より、細長形状の挿入部を体腔内等に挿入することにより、体腔内臓器等を観察したり、必要に応じて処置具等を用いて各種の治療処置をおこなうことができるように構成した内視鏡装置が広く使用されている。
【０００３】
このような内視鏡装置においては、内視鏡とは別体に設けられる光源装置から供給される照明光をユニバーサルコード及び内視鏡挿入部を挿通させたライトガイドを介して当該内視鏡挿入部の先端部へと導き、この先端部に設けられる照明窓から出射することで、体腔内における患部等の観察対象部位（被検体）を照明し得るように構成したものが一般的に実用化されている。
【０００４】
また、近年における内視鏡装置の照明光源として、高輝度白色発光ダイオード（ＬＥＤ；Light Emitting Diode）等の発光素子を利用するものが実用化されつつある。
【０００５】
このように照明光源として発光素子を用いた場合には、内視鏡とは別体の光源装置や内視鏡操作部等の内部に発光素子を配設し、この発光素子の照明光をライトガイドを介して内視鏡挿入部の先端部へと導くようにしたものや、内視鏡の先端部に例えば発光ダイオード（ＬＥＤ）等の発光素子を直接配設するように構成したものについて、種々の提案がなされまた実用化されている。
【０００６】
例えば特開２００３−１２６０３４号公報によって開示されている内視鏡装置用の照明装置は、操作部の内部に白色発光ダイオード（ＬＥＤ）を着脱自在に配設し、この白色発光ダイオード（ＬＥＤ）からの出射光束がライトガイドの入射端に入射するように構成している。これにより、内視鏡とは別体に光源装置を設ける必要がなく、内視鏡装置の簡略化に寄与するというものである。
【特許文献１】特開２００３−１２６０３４号公報
【発明の開示】
【発明が解決しようとする課題】
【０００７】
ところが、内視鏡とは別体に光源装置を用い照明光の伝送をライトガイドを介しておこなうように構成したものでは、光源装置の内部やその照明光の伝送経路中における光量の損失が大きいという問題点がある。
【０００８】
また、前記特開２００３−１２６０３４号公報によって開示されている手段では、発光素子（ＬＥＤ）とライトガイド端面との間の位置調整を組み込み時におこなう必要がある。この位置調整精度が低いと両者間に位置ずれが生じ、光量伝送の損失につながるという問題点がある。
【０００９】
一方、内視鏡の先端部に発光ダイオード（ＬＥＤ）等の発光素子を配設するように構成したものでは、先端部サイズの制約によって、配設し得る発光素子の大きさが制約されるという問題点や、発光素子が発光する際に生じる発熱の問題点などがあり、体腔内の被検体を観察するのに充分な光量を確保できないという問題点がある。
【００１０】
本発明は、上述した点に鑑みてなされたものであって、その目的とするところは、発光素子からの出射光を効率的に内視鏡の先端部へと導いて、充分な光量を確保することのできる内視鏡用照明装置と、これを適用する内視鏡を提供することである。
【課題を解決するための手段】
【００１１】
上記目的を達成するために、本発明による内視鏡用照明装置は、発光素子を内部に有する発光素子部と、前記発光素子からの出射光を伝送するライトガイド部とからなる内視鏡用照明装置であって、前記発光素子部は、前記ライトガイド部の一端部に発光素子を封止する発光素子封止部を有し、この発光素子封止部と前記ライトガイド部とが一体に成形されてなることを特徴とする。
【発明の効果】
【００１２】
本発明によれば、発光素子からの出射光を効率的に内視鏡の先端部へと導いて、充分な光量を確保することのできる内視鏡用照明装置と、これを適用する内視鏡を提供することができる。
【発明を実施するための最良の形態】
【００１３】
以下、図示の実施の形態によって本発明を説明する。  
図１は、本発明の第１の実施形態の内視鏡装置の構成を示す外観図である。図２は、図１の内視鏡装置における内視鏡の内部構成を概略的に示す断面図である。図３は、本実施形態の内視鏡に適用される内視鏡用照明装置を示す要部外観図である。図４は、図３のIV−IV線に沿う断面図である。
【００１４】
本実施形態の内視鏡装置１は、図１に示すように内視鏡２と、この内視鏡２における内視鏡用照明装置（後述するライトガイドユニット３１。図２参照）に電源電力を供給すると共に前記内視鏡２の撮像素子（図示せず）により取得される映像信号等についての信号処理等をおこなうビデオプロセッサ４と、このビデオプロセッサ４から出力される映像信号を受けて視認し得る映像として表示する表示装置５とによって主に構成されている。そして、ビデオプロセッサ４には、例えばＶＴＲデッキやビデオプリンタやビデオディスクや画像ファイル装置等の各種外部装置（いずれも図示せず）を接続し得るようになっている。
【００１５】
内視鏡２は、細長形状からなり可撓性を有する挿入部６と、この挿入部６の基端部に連設される略箱型形状の操作部７と、この操作部７の側部から延出されるユニバーサルコード８とから主に構成されている。そして、ユニバーサルコード８の端部にはコネクタ部９が連設されている。
【００１６】
挿入部６は、撮像素子等を含む各種の電気部材（図示せず）により構成される撮像ユニット３２ａ（図２参照）を内部に有し先端側の所定の部位を形成する先端部１１と、この先端部１１の基端側に連設され所望の角度に湾曲自在に形成される湾曲部１２と、この湾曲部１２の基端側に連設され可撓性を備えた可撓管部１３とによって構成されている。そして、可撓管部１３の基端部は操作部７に連設している。
【００１７】
操作部７には、観察画像のフリーズ指示又はレリーズ指示等の指示操作をおこなうリモートボタン１４と送気及び送水操作をおこなう送気送水ボタン１６と吸引操作をおこなう吸引ボタン１７と湾曲部１２の湾曲操作をおこなう湾曲操作ノブ１８等の各種の操作部材が配設されている。
【００１８】
また、操作部７の先端寄りの部位には鉗子挿入口２８が配設されている。この鉗子挿入口２８は、挿入部６の内部に形成される鉗子チャンネルを介して先端部１１のチャンネル開口（図示せず）に連設されている。したがって、この鉗子挿入口２８から生検鉗子等（図示せず）を挿入すると、この生検鉗子等は、鉗子チャンネルの内部を挿通して先端部１１のチャンネル開口よりその先端部が突出するようになっている。
【００１９】
コネクタ部９には、ビデオプロセッサ４の所定の接続部に対して着脱自在に接続されるライトガイド電源端子部２１がその先端面より突設されている。また、同コネクタ部９の側部には電気コネクタ受け２２が設けられている。この電気コネクタ受け２２には、ビデオプロセッサ４に接続される接続コード２３の電気コネクタ２４が着脱自在に装着されるようになっている。
【００２０】
また、コネクタ部９には、加圧管２５と送水管２６と吸引口金２７とが設けられている。これらの加圧管２５と送水管２６と吸引口金２７は、流体制御装置や吸引装置等（図示せず）に接続されるようになっている。
【００２１】
一方、挿入部６の先端部１１の最先端面には、図２に示すように被検体の光学像を所定の位置（撮像素子の受光面上）に結像させるための観察光学系３２ｂが設けられている。そして、先端部１１の内部であって前記観察光学系３２ｂに対向する位置には、撮像ユニット３２ａが配設されている。この撮像ユニット３２ａは、撮像素子やこの撮像素子により取得される画像信号についての信号処理をおこなう各種の電気回路等を構成する各種の電気部材により構成されている。なお、この撮像ユニット３２ａの構成については、従来の一般的な内視鏡と同様の構成からなるものとして、詳細説明は省略する。
【００２２】
撮像ユニット３２ａからは撮像信号線３２が延出している。この撮像信号線３２は、挿入部６の内部を挿通した後、操作部７を介してユニバーサルコード８の内部を挿通し、最終的にはコネクタ部９に電気的に接続されている。つまり、撮像信号線３２は、挿入部６の先端部１１から挿入部６及び操作部７及びユニバーサルコード８を介して当該ユニバーサルコード８のコネクタ部９に至るまで挿通している。
【００２３】
そして、コネクタ部９がビデオプロセッサ４の所定の接続端子に接続されるようになっている。これにより、撮像素子により取得された画像信号はビデオプロセッサ４へと伝送されるようになっている。また、ビデオプロセッサ４からは、前記撮像信号線３２を介して所定の制御信号が撮像ユニット３２ａに向けて伝送されるようにもなっている。これにより、ビデオプロセッサ４は、撮像ユニット３２ａを駆動制御し得るようになっている。
【００２４】
また、挿入部６の先端部１１の最先端面には、当該先端部１１の内部に設けられる内視鏡用照明装置であるライトガイドユニット３１から出射される照明光束を受けて被検体及びその周辺に向けて照明光を拡散照射させる照明光学系３１ｃが配設されている。上述したように、先端部１１の内部であって前記照明光学系３１ｃに対向する位置には、内視鏡照明装置であるライトガイドユニット３１の端面が配置されている。
【００２５】
ライトガイドユニット３１は、一端部に配設される発光ダイオード（ＬＥＤ）等からなる発光素子部３１ａと、細長形状で可撓性を有する複数（例えば数百本〜数千本）の光ファイバーケーブル３１ｂｂ（後述する；図４参照）を束ねたライトガイド部３１ｂとを一体に成形してなる発光素子一体型のライトガイドである。
【００２６】
そして、このライトガイドユニット３１は、挿入部６の内部を挿通しており、操作部７の内部における所定の部位に発光素子部３１ａが固設されている。
【００２７】
この発光素子部３１ａの後端面には、電極３１ｄ（図３参照）が突設されており、この電極３１ｄには、電源供給線３３のコネクタ部３３ａが接続されている。電源供給線３３はユニバーサルコード８の内部をコネクタ部９まで挿通している。そして、ユニバーサルコード８のコネクタ部９をビデオプロセッサ４に接続することによって、ライトガイドユニット３１の電源ラインが形成されるようになっている。これにより、ビデオプロセッサ４に供給される電力が当該電源ラインを介してライトガイドユニット３１へと伝送され供給されるようになっている。
【００２８】
ライトガイドユニット３１の詳細構成は、図３及び図４に示すようになっている。すなわち、本実施形態の内視鏡用照明装置であるライトガイドユニット３１は、上述したように発光素子部３１ａとライトガイド部３１ｂとを一体に成形した形態で構成されている。
【００２９】
発光素子部３１ａには、例えば発光ダイオード（ＬＥＤ）が適用されている。この発光素子部３１ａは、当該ライトガイドユニット３１の製作過程においてライトガイド部３１ｂの一端部に封止した形態で一体に成形されているものである。
【００３０】
この発光素子部３１ａにおいては、発光素子(図示せず)を封止する部分（図３の符号Ａで示す部分。以下、発光素子封止部Ａという）の材料の材質として、ライトガイド部３１ｂを構成する各光ファイバーケーブル３１ｂｂ（図４参照）のコア材Ｂ及びクラッド材Ｃと同一の材質の材料が用いられている。
【００３１】
つまり、この発光素子封止部Ａは、内側のコア部３１ａａと外側のクラッド部３１ａｂとの二重構造に形成されており、これによって発光素子を封止している。ここで、コア部３１ａａは、光ファイバーケーブル３１ｂｂのコア材Ｂと同一の材質の材料で形成され、クラッド部３１ａｂは、同光ファイバーケーブル３１ｂｂのクラッド材Ｃと同一の材質の材料で形成されている。
【００３２】
そして、上述のようにして発光素子封止部Ａの内部に封止された発光素子（図示せず）は、ライトガイド部３１ｂの端面部（図３の符号Ｂ）に対向するように配設されている。この場合において、発光素子部３１ａの発光素子封止部Ａとライトガイド部３１ｂとが一体に成形されている。
【００３３】
さらに、発光素子部３１ａの後端面には、上述したように二本の電極３１ｄが突設されている。
【００３４】
このように構成されるライトガイドユニット３１を適用した内視鏡装置１においては、ビデオプロセッサ４からユニバーサルコード８のコネクタ部９，電源供給線３３，電源供給線３３のコネクタ部３３ａ，電極３１ｄからなる電源ラインを介してライトガイドユニット３１に対して電力が供給される。この電力によってライトガイドユニット３１の発光素子部３１ａの発光素子（図示せず）が発光する。これにより生じる出射光は、ライトガイドユニット３１の発光素子部３１ａの発光素子封止部Ａからライトガイド部３１ｂを介して、その先端部へと導かれ、ライトガイド部３１ｂの先端面から出射する。この出射光は、ライトガイド部３１ｂの先端面に対向する位置において、内視鏡２の挿入部６の先端部１１に設けられる照明光学系３１ｃを介して挿入部６の外部へと出射する。そして、この挿入部６の前方の被検体を照射する。
【００３５】
以上説明したように上記第１の実施形態によれば、ライトガイド部３１ｂの一端部に発光素子を含む発光素子部３１ａを一体に封止した発光素子一体型のライトガイドユニット３１を構成している。この場合において、発光素子部３１ａの発光素子封止部Ａは、ライトガイド部３１ｂを構成する各光ファイバーケーブル３１ｂｂのコア材Ｂ及びクラッド材Ｃと同一の材質からなる材料を用いて、コア部３１ａａ及びクラッド部３１ａｂからなる二重構造にて発光素子を封止するようにしている。
【００３６】
このような構成のライトガイドユニット３１を適用した内視鏡２によれば、操作部７の内部に発光素子部３１ａを配置することができるので、発光素子自体の大きさの制約や、発光素子の発熱対策を軽減することができる。これと共に、発光素子から生じる出射光を効率良く内視鏡２の挿入部６の先端部１１へと導くことができる。
【００３７】
また、従来の内視鏡装置においては、別体で設けられていた光源装置を不要としながら、効率的な照明光の伝達を確保し、よって充分な光量を確保することができる。
【００３８】
さらに、ライトガイドユニット３１においては、発光ダイオード等の発光素子を適用していることから消費電力の低減化に寄与することができる。
【００３９】
このことから、例えばワイヤレス内視鏡などに適用した場合にも、充分な光量を確保し消費電力の低減化を実現していることから、充分な観察距離と長時間の使用ができるようになる。
【００４０】
一方、本実施形態のライトガイドユニット３１は、ライトガイド部３１ｂと発光素子部３１ａとを一体に成形した発光素子一体型としたので、ユニット化による部材の取り扱いが容易になる。
【００４１】
このことは、当該ライトガイドユニット３１を内視鏡２の内部に組み込む場合においては、従来の別体構造のものではライトガイド部と発光素子部との位置調整などが必要であったが、この位置調整などが不要となるので、容易に組み立て調整ができる。したがって、生産性の効率化に寄与することができ、製造工程の簡略化を実現し、同時に製造コストの低減化に寄与することができる。
【００４２】
さらに、発光素子部３１ａとライトガイド部３１ｂとの位置調整などを不要としながら、両者の間の位置ずれが生じることもないので、発光素子部３１ａの内部に封止される発光素子から生じる出射光の損失を抑止することができる。
【００４３】
上述の第１の実施形態の内視鏡用照明装置（ライトガイドユニット３１）では、ライトガイド部３１ｂは複数の光ファイバーケーブル３１ｂｂを束ねた形態で構成し、このケーブル束に対して一つの発光素子を有する発光素子部３１ａを一体に成形して構成した。
【００４４】
このような形態とは別の形態として、次に示す第２の実施形態が考えられる。
【００４５】
図５及び図６は、本発明の第２の実施形態の内視鏡用照明装置（ライトガイドユニット）の一部を示す図である。このうち、図５は、当該内視鏡用照明装置の主要構成要素を示す要部外観図である。図６は、図５のVI−VI線に沿う断面図である。
【００４６】
本発明の第２の実施形態の内視鏡用照明装置（ライトガイドユニット）は、図に示すように、一本の光ファイバーケーブル３１ｂｂに対して一つの発光素子部３１Ａａを一体に成形したライトガイド３１Ａを複数本束ねて（図示せず）構成するものである。
【００４７】
この場合において、ライトガイド３１Ａの発光素子部３１Ａａにおける発光素子封止部Ａａは、コア部３１ａａ及びクラッド部３１ａｂからなる二重構造にて発光素子を封止するようにしている。そして、発光素子封止部Ａａのコア部３１ａａ及びクラッド部３１ａｂは、光ファイバーケーブル３１ｂｂのコア材Ｂ及びクラッド材Ｃと同一の材質からなる材料を用いて一体に成形している。
【００４８】
また、発光素子部３１Ａａの後端面から二本の電極３１ｄが突設されているのは、上述の第１の実施形態と同様である。
【００４９】
このように構成したライトガイド３１Ａを複数本束ねてライトガイドユニットを形成し（図示は省略）、これを上述の第１の実施形態と同様に、内視鏡２の内部の同位置に配置する。その他の構成は、上述の第１の実施形態と同様である。
【００５０】
以上のように構成した上記第２の実施形態においては、上述の第１の実施形態と同様の効果を得ることができる。これと同時に、一本の光ファイバーケーブル３１ｂｂ毎に一つの発光素子を封止した発光素子部３１Ａａを一体に成形するようにしたことから、より大きな光量を確実に確保することが容易にできる。
【００５１】
なお、上述の第２の実施形態とは別に、次のような形態のライトガイドユニットを構成することもできる。
【００５２】
上述の第２の実施形態の内視鏡用照明装置（ライトガイドユニット）では、一本の光ファイバーケーブル３１ｂｂに対して一つの発光素子部３１Ａａを一体に成形したライトガイド３１Ａを複数本束ねて構成するというものを示している。このライトガイド３１Ａにおいては、それぞれが別体に形成される発光素子部３１Ａａと光ファイバーケーブル３１ｂｂとを一体に成形して構成している。
【００５３】
このような形態とは別に、例えば図５に示す光ファイバーケーブル３１ｂｂに代えて、発光素子部３１Ａａの発光素子封止部Ａａを延出させることによって、図５と略同形態のライトガイドを構成することが考えられる。
【００５４】
すなわち、この形態のライトガイドにおいては、発光素子封止部Ａａは、上述の第２の実施形態と同様にコア部３１ａａ及びクラッド部３１ａｂによる二重構造で形成し、その内部に発光素子を封止するように構成する。
【００５５】
そして、前記発光素子封止部Ａａを所定の長さだけ延出させた形態で、上述の第２の実施形態における光ファイバーケーブル３１ｂｂと略同形態の部位を形成する。
【００５６】
すなわち、上述の第２の実施形態において光ファイバーケーブル３１ｂｂに相当する部位であって発光素子封止部Ａａに封止されている発光素子から生じる出射光を伝達すべき光伝送部と発光素子封止部Ａａとを、同一の部材によって形成する。
【００５７】
このように構成した形態からなるライトガイドを、複数本束ねてライトガイドユニットを構成する。
【００５８】
以上のような構成のライトガイドユニットにおいても、上述の第２の実施形態と同様の効果を得ることができる。これと同時に、一つの発光素子を封止した発光素子部３１Ａａの発光素子封止部Ａａを延長させた形態の光伝送部を形成することで、光を伝送する部位を実質的に一部材によって形成することができ、より効率的な光束の伝送をおこなうことができる。部材加工の手間を省略することができるので製造工程の削減に寄与することができる。
【００５９】
ところで、上述の第１及び第２の実施形態においては、本発明の内視鏡用照明装置を、挿入部が湾曲自在に構成したいわゆる軟性内視鏡に適用した例を示しているが、これに限ることはなく、例えば挿入部が軸状に固設して形態のいわゆる硬性内視鏡に対しても全く同様に適用することができる。次に示す第３の実施形態は、本発明の内視鏡用照明装置を構成内視鏡に適用した場合の例示である。
【００６０】
図７は、本発明の第３の実施形態の内視鏡装置において、主に内視鏡用照明装置の概略的な配置を示す部材配置図である。
【００６１】
内視鏡２は、細長形状で硬質に形成される挿入部６Ｂと、この挿入部６Ｂの基端部に連設される略箱型形状の操作部７Ｂと、この操作部７Ｂの後端から延出されるユニバーサルコード８Ｂとから主に構成されている。そして、ユニバーサルコード８Ｂの端部にはコネクタ部９Ａが連設されている。
【００６２】
挿入部６Ｂは、撮像素子等を含む各種の電気部材等により構成される撮像ユニット３２ａを内部に有し先端側の所定の部位を形成する先端部１１Ｂと、この先端部１１Ｂの基端側に連設される細長形状の硬質管部１３Ｂとによって構成されている。そして、硬質管部１３Ｂの基端部は操作部７Ｂに連設している。
【００６３】
操作部７Ｂには、上述の第１の実施形態と同様に各種の操作をおこなう複数の操作部材が配設される。本実施形態では、その図示と詳細な説明は省略し、従来の一般的な硬質内視鏡における操作部と同様の構成となっているものとする。
【００６４】
コネクタ部９Ｂは、本内視鏡２Ｂが適用される内視鏡装置１Ｂの一部を構成するビデオプロセッサ４Ｂの所定の接続部に対して着脱自在に接続されるようになっている。なお、同コネクタ部９には、ビデオプロセッサ４Ｂとの接続を確保する電気コネクタ受け等が設けられている（特に図示せず）。
【００６５】
一方、挿入部６Ｂの先端部１１Ｂの最先端面には、観察光学系３２ｂが上述の第１の実施形態と同様に設けられている。この観察光学系３２ｂに対向する位置であって、先端部１１の内部には撮像ユニット３２ａが配設されている。この撮像ユニット３２ａからは撮像信号線３２が延出している。この撮像信号線３２は、挿入部６Ｂの内部を挿通した後、操作部７Ｂを介してユニバーサルコード８Ｂの内部を挿通し、最終的にはコネクタ部９Ｂに電気的に接続されている。
【００６６】
これにより、コネクタ部９Ｂがビデオプロセッサ４Ｂの所定の接続端子に接続されると、撮像素子により取得された画像信号はビデオプロセッサ４Ｂへと伝送されるようになっている。また、ビデオプロセッサ４Ｂからは、前記撮像信号線３２を介して所定の制御信号が撮像ユニット３２ａに向けて伝送されるようにもなっている。これにより、ビデオプロセッサ４による撮像ユニット３２ａの駆動制御がおこなわれるようになっている。
【００６７】
一方、挿入部６Ｂの先端部１１Ｂの最先端面には、当該先端部１１Ｂの内部に設けられる内視鏡用照明装置であるライトガイドユニット３１Ｂから出射される照明光束を受けて被検体及びその周辺に向けて照明光を拡散照射させる照明光学系３１ｃが配設されている。この照明光学系３１ｃに対向する位置であって、前記先端部１１の内部には、内視鏡照明装置であるライトガイドユニット３１Ｂの端面が配置されている。
【００６８】
ライトガイドユニット３１Ｂは、一端部に配設される発光ダイオード（ＬＥＤ）等からなる発光素子部３１Ｂａと、細長形状からなる複数（例えば数百本〜数千本）の光ファイバーケーブルを束ねたライトガイド部３１Ｂｂとを一体に成形してなる発光素子一体型のライトガイドである。
【００６９】
そして、このライトガイドユニット３１Ｂは、挿入部６Ｂの内部を挿通しており、操作部７Ｂの内部における所定の部位に発光素子部３１Ｂａが固設されている。
【００７０】
この発光素子部３１Ｂａの後端面には、電極３１ｄが突設されており、この電極３１ｄには、電源供給線３３のコネクタ部３３Ｂａが接続されている。電源供給線３３はユニバーサルコード８Ｂの内部をコネクタ部９Ｂまで挿通している。そして、ユニバーサルコード８Ｂのコネクタ部９Ｂをビデオプロセッサ４Ｂに接続することによって、ライトガイドユニット３１Ｂの電源ラインが形成されるようになっている。これにより、ビデオプロセッサ４Ｂに供給される電力が当該電源ラインを介してライトガイドユニット３１Ｂへと伝送され供給されるようになっている。
【００７１】
以上説明したように上記第３の実施形態においては、本発明の内視鏡用照明装置であるライトガイドユニット３１Ｂを硬性内視鏡に適用しているが、この場合においても、上述の第１の実施形態と全く同様の効果を得ることができる。
【００７２】
また、上記第３の実施形態の内視鏡装置１Ｂに対して上述の第２の実施形態の内視鏡用照明装置（ライトガイドユニット）を適用することも容易に可能であり、その場合にも、上述の第２の実施形態と全く同様の効果を得ることができる。
【図面の簡単な説明】
【００７３】
【図１】本発明の第１の実施形態の内視鏡装置の構成を示す外観図。
【図２】図１の内視鏡装置における内視鏡の内部構成を概略的に示す断面図。
【図３】図１の内視鏡に適用される内視鏡用照明装置を示す要部外観図。
【図４】図３のIV−IV線に沿う断面図。
【図５】本発明の第２の実施形態の内視鏡用照明装置（ライトガイドユニット）の主要構成要素を示す要部外観図。
【図６】図５のVI−VI線に沿う断面図。
【図７】本発明の第３の実施形態の内視鏡装置における内視鏡用照明装置の配置を示す部材配置図。
【符号の説明】
【００７４】
１，１Ｂ……内視鏡装置
２，２Ｂ……本内視鏡
４，４Ｂ……ビデオプロセッサ
５……表示装置
６，６Ｂ……挿入部
７，７Ｂ……操作部
８，８Ｂ……ユニバーサルコード
９，９Ａ，９Ｂ……コネクタ部
１１，１１Ｂ……先端部
１２……湾曲部
１３……可撓管部
１３Ｂ……硬質管部
２１……ライトガイド電源端子部
２２……電気コネクタ受け
２３……接続コード
２４……電気コネクタ
２８……鉗子挿入口
３１，３１Ｂ……ライトガイドユニット
３１Ａ……ライトガイド３１Ａ
３１ａ，３１Ａａ，３１Ｂａ……発光素子部
３１ｂ，３１Ｂｂ……ライトガイド部
３１ａａ……コア部
３１ａｂ……クラッド部
３１ｂｂ……光ファイバーケーブル
３１ｃ……照明光学系
３１ｄ……電極
３２……撮像信号線
３２ａ……撮像ユニット
３２ｂ……観察光学系
３３……電源供給線
３３ａ，３３Ｂａ……コネクタ部
Ａ，Ａａ……発光素子封止部
Ｂ……コア材
Ｃ……クラッド材
代理人弁理士伊藤進
【図１】
2005312829.tif 000003
【図２】
2005312829.tif 000004
【図３】
2005312829.tif 000005
【図４】
2005312829.tif 000006
【図５】
2005312829.tif 000007
【図６】
2005312829.tif 000008
【図７】
2005312829.tif 000009